(57)【特許請求の範囲】
【請求項１】
タブレットコンピュータ用の壁埋込型ドックであって、
壁の空洞内に少なくとも部分的に配置されるよう構成されたハウジングであって、該ハウジングが前記壁の空洞内に配設された際に該壁の表面と実質的に平行に配置される正面を含む、ハウジングと、
該ハウジングに対して回転可能な状態で取り付けられた受容トレイであって、該受容トレイとの前記タブレットコンピュータの係合を可能にする該ハウジングの前記正面に対して鋭角をなして配置される第１の配向から、該ハウジングの該正面と実質的に平行であり該受容トレイからの該タブレットコンピュータの取り外しを阻止する第２の配向へと回転するよう構成されている、受容トレイと、
係合時に前記受容トレイを前記第２の配向で保持するよう構成されている封鎖機構と、
前記ハウジング上に固定されるよう構成された取り外し可能なベゼルであって、その固定時に該ハウジングの前記正面の少なくとも一部と前記タブレットコンピュータの正面の少なくとも一部とを覆う、ベゼルと
を備えている、タブレットコンピュータ用の壁埋込型ドック。
【請求項２】
前記封鎖機構が、前記受容トレイの一部を通って前記ハウジングの突起内へと延びる留め具を含む、請求項１に記載のタブレットコンピュータ用の壁埋込型ドック。
【請求項３】
前記タブレットコンピュータを前記受容トレイに保持し、及び該タブレットコンピュータの主軸と直交する方向における前記受容トレイに対する該タブレットコンピュータの運動を実質的に阻止するよう構成されている、１つ又は２つ以上の保持機構を更に備えている、請求項１に記載のタブレットコンピュータ用の壁埋込型ドック。
【請求項４】
前記１つ又は２つ以上の保持機構が、１つ又は２つ以上の保持フランジからなる、請求項３に記載のタブレットコンピュータ用の壁埋込型ドック。
【請求項５】
前記タブレットコンピュータの対向する端部に係合し及び該タブレットコンピュータの主軸と平行な方向における該タブレットコンピュータの運動を実質的に阻止するよう構成されている、前記ハウジングの第１及び第２の内部側壁を更に備えている、請求項１に記載のタブレットコンピュータ用の壁埋込型ドック。
【請求項６】
前記ベゼルが、その固定時に、前記壁の表面の少なくとも一部を更に覆う、請求項１に記載のタブレットコンピュータ用の壁埋込型ドック。
【請求項７】
前記ベゼルを前記ハウジングに取り外し可能な状態で取り付けるよう構成された磁石式閉鎖手段を更に含む、請求項１に記載のタブレットコンピュータ用の壁埋込型ドック。
【請求項８】
該壁埋込型ドックからの前記タブレットコンピュータの取り外しを検出するよう構成された電子的な取り外し検出システムを更に備えている、請求項１に記載のタブレットコンピュータ用の壁埋込型ドック。
【請求項９】
前記電子的な取り外し検出システムが、前記タブレットコンピュータが該壁埋込型ドックから取り外された際に開いて電子回路を切断する接点を含む、請求項８に記載のタブレットコンピュータ用の壁埋込型ドック。
【請求項１０】
前記タブレットコンピュータ上の雌の30ピンコネクタと係合するよう構成された雄の30ピンドック接続プラグを更に備えている、請求項１に記載のタブレットコンピュータ用の壁埋込型ドック。
【請求項１１】
タブレットコンピュータ用の壁埋込型ドックであって、
壁の空洞内に少なくとも部分的に配置されるよう構成されたハウジングであって、該ハウジングが前記壁の空洞内に配設された際に該壁の表面と実質的に平行に配置される正面を含む、ハウジングと、
該ハウジングに取り付けられた受容トレイであって、前記タブレットコンピュータと係合するよう構成されている、受容トレイと、
該受容トレイに結合された封鎖機構であって、係合時に前記受容トレイと協働して前記タブレットコンピュータを保持して、該壁埋込型ドックからの該タブレットコンピュータの取り外しを実質的に阻止する、封鎖機構と、
該タブレットコンピュータの正面の少なくとも一部を覆うよう構成されたベゼルと
を備えている、タブレットコンピュータ用の壁埋込型ドック。
【請求項１２】
前記受容トレイが、前記ハウジングに対して回転可能な状態で取り付けられており、及び該受容トレイとの前記タブレットコンピュータの係合を可能にする該ハウジングの前記正面に対して鋭角をなして配置された第１の配向から、該ハウジングの該正面と実質的に平行である第２の配向へと回転するよう構成されている、請求項１１に記載のタブレットコンピュータ用の壁埋込型ドック。
【請求項１３】
前記封鎖機構が、前記受容トレイの一部を通って前記ハウジングの突起内へと延びる留め具を含む、請求項１１に記載のタブレットコンピュータ用の壁埋込型ドック。
【請求項１４】
前記ベゼルを前記ハウジングに取り外し可能な状態で取り付けるよう構成された磁石式閉鎖手段を更に含む、請求項１１に記載のタブレットコンピュータ用の壁埋込型ドック。
【請求項１５】
該壁埋込型ドックからの前記タブレットコンピュータの取り外しを検出するよう構成された電子的な取り外し検出システムを更に備えている、請求項１１に記載のタブレットコンピュータ用の壁埋込型ドック。
【請求項１６】
前記タブレットコンピュータ上の雌の30ピンコネクタと係合するよう構成された雄の30ピンドック接続プラグを更に備えている、請求項１１に記載のタブレットコンピュータ用の壁埋込型ドック。
【請求項１７】
タブレットコンピュータ用の壁埋込型ドックであって、
壁の空洞内に少なくとも部分的に配置されるよう構成されたハウジング手段と、
タブレットコンピュータを受容するための受容手段であって、該受容手段との該タブレットコンピュータの係合を可能にする第１の配向から、該受容手段からの該タブレットコンピュータの取り外しを阻止する第２の配向へと回転するよう構成されている、受容手段と、
係合時に前記受容手段を前記第２の配向で保持するよう構成されている封鎖手段と、
前記ハウジング手段上に固定するよう構成された被覆手段であって、その固定時に該ハウジング手段の正面の少なくとも一部と前記タブレットコンピュータの正面の少なくとも一部とを覆う、被覆手段と
を備えている、タブレットコンピュータ用の壁埋込型ドック。
【請求項１８】
該壁埋込型ドックからの前記タブレットコンピュータの取り外しを電子的に検出する手段を更に備えている、請求項１７に記載のタブレットコンピュータ用の壁埋込型ドック。
【請求項１９】
前記タブレットコンピュータ上の雌の30ピンコネクタと係合するよう構成された雄の30ピンドック接続プラグを更に備えている、請求項１７に記載のタブレットコンピュータ用の壁埋込型ドック。
【発明の詳細な説明】
【技術分野】
【０００１】
本発明は、一般に電子装置マウント及びドッキングシステムに関し、特にタブレットコンピュータ用の壁埋込型ドックに関するものである。
【背景技術】
【０００２】
オーディオ／ビデオ（Ａ／Ｖ）装置、ホームオートメーションユニット、照明制御ユニット、電話装置、ＨＶＡＣ（冷暖房空調）ユニット、エネルギー管理装置、及び／又はその他のタイプの装置を制御し及びそれらと対話するために様々な制御システムが開発されてきた。かかる制御システムは、一連のメニューに制御オプションを編成して該メニューをユーザインタフェイスで提示することが多い。ユーザインタフェイスは、様々な態様で提示することが可能であるが、タッチパネルインタフェイスが多くのエンドユーザに特に人気がある。
【０００３】
特定の制御システムと対話するために、様々な専用の卓上型及び携帯型のタッチパネル制御ユニットが開発されてきた。更に、特定の制御システムと対話するために、様々な専用の壁埋込型のタッチパネル制御ユニットが開発されてきた。壁埋込型ユニットは、例えば、住居その他の建造物の構造内に組み込むことが望ましい場合といった、特定の用途でエンドユーザにより好まれるものである。
【０００４】
多くの専用の壁埋込型のタッチパネル制御ユニットは、タッチセンサ式の表示画面に加えて、高度なコンピューティングハードウェアを含む。例えば、多くの専用の壁埋込型のタッチパネル制御ユニットは、埋込型パーソナルコンピュータ（ＰＣ）、ディジタルグラフィクスエンジン、１つ又は２つ以上のネットワークインタフェイス、スピーカ、マイク、及びその他のハードウェアコンポーネントを含む。これらのコンポーネントは、少なくとも部分的に壁の空洞内に取り付けられたケース内に配設することが可能である。かかる「専用」という性質、及びそれに対応する限られた製造量に部分的に起因して、専用の壁埋込型のタッチパネル制御ユニットは一般に極めて高価なものとなる。その高価さが故に、一般的な設備で据え付けられるユニットの数が制限されることが多い。住居その他の建造物の各部屋にそれぞれの専用の壁埋込型のタッチパネル制御ユニットを配設するのは、エンドユーザがかかる構成を望む場合であっても、法外な費用がかかるだけの場合が多い。費用を削減するために、かかるユニットの使用は制限される場合が多く、かかるユニットは、住居その他の建造物内の重要な少数の部屋又は場所にのみ設置されることになる。
【発明の概要】
【発明が解決しようとする課題】
【０００５】
専用の壁埋込型のタッチパネル制御ユニットの代わりに、低コストの大量生産による市販品を利用することが可能であるならば、同程度の費用で遙かに多数のパネルを配備することができる。しかし、大量生産による市販品を壁に組み込もうとすると、様々な問題に遭遇する。例えば、壁埋込型の取り付け用に設計されていない製品を、エンドユーザが要求するレベルの適合度及び仕上げ度を提供する態様で、壁内に取り付けるのは困難である。更に、壁埋込型の取り付け用に設計されていない製品を、無用な取り外し又は盗難を防止し又は少なくともその気を失わせるような態様で固定するのは困難である。
【０００６】
したがって、壁埋込型取り付けのための改善された技術が必要とされている。
【課題を解決するための手段】
【０００７】
一実施形態では、タブレットコンピュータを受容し固定する角度調整可能な受容トレイを含むタブレットコンピュータ用壁埋込型ドックにより、従来技術の欠点に部分的に対処する。該壁埋込型ドックは、該ドックのハウジング内に配設された１つ又は２つ以上の取付タブ又はその他の取付機構を介して建造物の壁内に固定される。壁内に固定される際、前記ハウジングの正面は、好適には部屋に面する壁表面と実質的に平行に配置され、及び該壁の一部に重なると共に該ハウジングの残りの部分が壁の空洞（すなわち、スタッド・ベイ）内に配設される。１つ又は２つ以上のコネクタが、該壁埋込型ドックを壁内の電源及び／又はデータケーブルに接続することが可能である。
【０００８】
前記受容トレイは、前記ハウジングに対して回転可能な状態で取り付けることが可能である。該受容トレイは、前記ハウジングの正面に対して鋭角をなす第１の配向から該ハウジングの正面と実質的に平行な第２の配向へと回転するよう構成することが可能である。該受容トレイが第１の配向に位置決めされている間に、タブレットコンピュータを該受容トレイ内に滑り込ませて、該受容トレイ上に配置された１つ又は２つ以上の電源及び／又はデータコネクタに係合させることが可能である。１つ又は２つ以上の保持機構、例えば、第１及び第２の保持フランジが、前記受容トレイに兄前記タブレットコンピュータを保持する。該保持フランジは、タブレットコンピュータの主軸と直交する方向における該タブレットコンピュータの運動を実質的に阻止するものとなる。次いで、該受容トレイが第２の配向へと回転され、封鎖機構、例えば、留め具により、該第２の配向で固定される。該第２の配向にある間、タブレットコンピュータの正面は、前記ハウジングの正面と同一平面内またはほぼ同一平面内に配置される。該ハウジングの内部側壁は、タブレットコンピュータの主軸と平行な方向における該タブレットコンピュータの運動を実質的に阻止する。封鎖機構が係合している限り、タブレットコンピュータはその全方向において保持されているため、該タブレットコンピュータが容易に取り外されることはなく、これにより、該タブレットコンピュータの盗難が阻止され又は少なくともその気をそぐことができる。更に、電子的な取り外し検出システム、例えば、電子的な接点閉鎖システムもまた使用して、無用な取り外しを検出し又はその気をそぐことが可能である。
【０００９】
前記ハウジングの正面、タブレットコンピュータの正面の一部、及び前記ドックを取り囲む壁の一部を覆うように、ベゼルを固定することが可能である。該ベゼルは、取り外し可能な取付機構を介して、例えば、磁石式閉鎖手段により、前記正面に対して固定することが可能である。該ベゼルが所定位置に配置されることにより、壁埋込型ドック内のタブレットコンピュータの外観は、専用の壁埋込型のタッチパネル制御ユニットの外観を近似することが可能である。
【００１０】
様々な代替的な実施形態が実施可能であり、本要約は、考え得る多数の構成のうちの１つについて説明したものに過ぎない、ということが理解されるべきである。
【図面の簡単な説明】
【００１１】
【図１】タブレットコンピュータ用の壁埋込型ドックの一実施形態の斜視図であり、角度調整可能な受容トレイ内に部分的に滑り込んだタブレットコンピュータが示されている。
【図２】図１の壁埋込型ドックの一実施形態の背面図であり、ハウジングの背面のコネクタの一実施形態を示している。
【図３】図１の壁埋込型ドックの一実施形態の斜視図であり、角度調整可能な受容トレイ内に完全に滑り込んだタブレットコンピュータを示している。
【図４】図１の壁埋込型ドックの一実施形態の側面図であり、角度調整可能な受容トレイ内に完全に滑り込んだタブレットコンピュータを示している。
【図５】図１の壁埋込型ドックの一実施形態の正面図であり、角度調整可能な受容トレイ内に完全に滑り込んだタブレットコンピュータと係合した封鎖機構とを示している。
【図６】図１の壁埋込型ドックの一実施形態の正面図であり、ハウジングの正面上に配置されたベゼルとタブレットコンピュータの一部とを示している。
【図７】図１の壁埋込型ドックの一実施形態の側面図であり、所定位置に配置されたベゼルを示している。
【発明を実施するための形態】
【００１２】
図１ないし図３を参照する。壁埋込型ドック100の一実施形態は、タッチセンサ式表示画面120を有するタブレットコンピュータ110を受容するよう構成することが可能である。本書で用いる場合、用語「タブレットコンピュータ」は、フルサイズのQwertyタイプの機械式キーボード又はマウスではなく、指の先端、スタイラス、ディジタルペン、又は主入力装置としての同様の手段により操作可能なタッチセンサ式表示画面を用いた薄型の汎用コンピュータを称するものである。タブレットコンピュータ110は、Apple Inc.（Cupertino, California）から販売されているiPad（登録商標）タブレット、Hewlett-Packard Co.（Palo Alto, California）から販売されているHP Slate（登録商標）タブレット、TabletKiosk Corp.（Torrance, California）から販売されているSahara Slate（登録商標）ＰＣ、又はその他の装置とすることが可能である。更に、タブレットコンピュータ110は、より小型の装置、例えば、Apple Inc.から販売されているiPod Touch（登録商標）装置、又はより小さなフォームファクタを有する他の装置とすることが可能である。
【００１３】
壁埋込型ドック100は、対向する対をなす外部側壁、正面135、及び背面200を有するハウジング130を備えている。壁（図示せず）内に固定されると、該ハウジング130の正面135は、好適には、部屋に面する壁表面と実質的に平行に配置され及び該壁の一部に重なることが可能であり、一方、外部側壁及び背面200は、壁の空洞（すなわち、スタッド・ベイ）内に配置される。該実施形態では、ハウジング130の大きさは、Ipad（登録商標）タブレットに適合するように、高さ230が約284mm（約11.2インチ）、幅240が約211mm（約8.3インチ）、及び奥行き（図７の符号720）が約64mm（約2.5インチ）となっている。代替的に、壁埋込型ドック100は、異なるサイズのタブレットコンピュータ110に適合するように異なる大きさのものとすることが可能である、ということが理解されよう。更に、該実施形態では、外部側壁及び背面210は、実質的に平坦なものとして図示されているが、代替的な構成では、突起や通気口等を有する異なる形状のものとすることが可能である。
【００１４】
壁埋込型ドック100は、取付機構、例えば、複数の（例えば４つの）取付タブ140を用いて壁に固定することが可能である。各取付タブ140は、それぞれ対応するボルト145に結合させることが可能である。取り付けに適した第１の位置では、取付タブ140は、窪み内に維持され、ハウジング130の外部側壁内に格納されている。取り付け後、各ボルト145の頭を回転させてそれに対応する取付タブ140を窪みの外に出して、壁面の内面（例えば、壁の乾式壁）に係合するよう進行させることが可能である。代替的に、クリップ、留め具（例えば、くぎ又はねじ）、接着剤、及びその他の機構を含む、様々な他のタイプの取付機構を用いて壁埋込型ドック100を壁及び／又は壁内のスタッドに固定することが可能である。
【００１５】
該実施形態では、１つ又は２つ以上のコネクタが、壁埋込型ドック100のハウジング130内に配設され、該コネクタは、壁内の電源及び／又はデータケーブルに接続するよう構成される。例えば、４ピンフェニックス型コネクタ220及びCAT5ケーブルコネクタ（図示せず）をハウジング130の背面210に配設することが可能である。代替的に、様々な他のタイプのコネクタを用いることが可能であり、又は、単にハウジング130の開口部に配線を通してタブレットコンピュータ110に直接的又は間接的に接続することが可能である。壁内の電源ケーブルは、その電圧をタブレットコンピュータ110が必要とする電圧へと調節する適当な変圧器に接続することが可能である。壁内のデータケーブルは、制御システム、例えば、プログラマブルマルチメディアコントローラを用いたシステムに接続することが可能である。壁埋込型ドック100と共に使用することができる例示的なプログラマブルマルチメディアコントローラに関する更なる詳細については、Robert P. Madonna等の「System and Method for a Programmable Multimedia Controller」と題する米国特許出願第11/314,664号に記載されている。
【００１６】
壁埋込型ドックの内部の配線及び／又は回路（図示せず）は、１つ又は２つ以上の接続プラグ（図示せず）にコネクタを直接的又は間接的に接続することが可能である。次いで、該１つ又は２つ以上の接続プラグが、タブレットコンピュータ110に配設されている１つ又は２つ以上のポート115へと接続される。一実施形態では、タブレットコンピュータはIpad（登録商標）タブレットであり、単一の雄のApple（登録商標）30ピンドック接続プラグを用いて該タブレットコンピュータ上の雌のApple（登録商標）30ピンコネクタへの係合が行われるが、採用するタブレットコンピュータ110に応じて、様々な他のコネクタ又は複数組のコネクタを使用することが可能である、ということが理解されよう。
【００１７】
一実施形態では、受容トレイ150は、接続プラグを支持し、及びタブレットコンピュータ110を受容するよう構成される。該受容トレイ150は、回動機構（図示せず）により、例えば、ハウジング130の側壁に配設された複数の孔内へと延びるピンにより、該ハウジング130に対して回転可能な状態で取り付けられる。該受容トレイ150は、ハウジング130の正面135に対して鋭角（図３）410（例えば、約15°）をなして配置される第１の配向から、該ハウジング130の正面135と実質的に平行となる第２の配向へと回転するよう構成される。第１の配向では、タブレットコンピュータ110は、ハウジング130の正面135から一定距離420だけ延びることが可能である。１つ又は２つ以上のバネ（図示せず）を使用して受容トレイ150にバネ荷重を加えて、抑えつけられない限り該受容トレイ150が第１の配向へと付勢されるようにすることが可能である。
【００１８】
図２ないし図５に関し、受容トレイ150は第１の配向に位置している間に、タブレットコンピュータ110をその主軸と平行な方向155に該受容トレイ150内に滑り込ませることが可能である。受容トレイ150内に滑り込むと、タブレットコンピュータ110は保持フランジに係合する。該実施形態では、タブレットコンピュータ110の対向する側部及び該タブレットコンピュータ110の正面127の一部に係合する第１及び第２の保持フランジ160,165が採用されて、該タブレットコンピュータ110の主軸と直交する方向における該タブレットコンピュータ110の運動が実質的に阻止される。しかし、代替的な実施形態では、異なる個数及び構成の保持フランジを代替的に採用することが可能である、ということが理解されよう。更に、タブレットコンピュータ110は、様々なクランプ、留め具、ベルクロ、接着剤、及び／又はその他の機構を含む、他の保持機構により固定することが可能である、ということが理解されよう。更に、該実施形態では、タブレットコンピュータ110は、その主軸に沿った方向で受容トレイ150内に滑り込ませるが、タブレットコンピュータ110は、代替的に他の態様で受容トレイ150に係合させることが可能であり、例えば、タブレットコンピュータ110を、他の方向で受容トレイ150内に滑り込ませ、上方から該受容トレイ150内へと配置し、又はその他の態様で受容トレイ150と係合させることが可能である、ということが理解されよう。
【００１９】
タブレットコンピュータ110が受容トレイ150に係合された後、該受容トレイ150がその第２の配向へと回転されて、該受容トレイ150がハウジング130の正面135と実質的に平行となる。該第２の配向では、タブレットコンピュータ110の正面127は、ハウジング130の正面135と同一平面内またはほぼ同一平面内に配置される。このように配置されると、ハウジングの内部側壁（図５）170,175が、タブレットコンピュータ110の対向する端部に係合して、該タブレットコンピュータ110の主軸と平行な方向155,157における該タブレットコンピュータ110の運動を実質的に阻止する。
【００２０】
封鎖機構（図５）510は、受容トレイ150をその第２の配向に固定し、例えば、該受容トレイ150のバネ荷重を抑制する。封鎖機構510が係合している限り、タブレットコンピュータ110はその全ての方向で保持されているため移動することができず、これにより、無用な取り外し又は盗難を阻止し又は少なくともその気をそぐことが可能である。これよりも高レベル又は低レベルのセキュリティを提供するために、様々なタイプの封鎖機構を採用することが可能である。該実施形態では、受容トレイ150の一部を通ってハウジング130の突起内へと延びる留め具（例えば、ねじ）を封鎖機構510として採用している。該留め具は、無用な取り外しを行う気をそぐことができる特殊なヘッド構造を有することが可能であり、例えば、ロバートソン（四角穴）ヘッド、アレン（六角ソケット）ヘッド、トルクス又はセキュリティトルクスヘッド、トライウィングヘッド、スパナヘッド、ダブルヘックス（二重六角）ヘッド、ブリストルヘッド等とすることが可能である。代替的な実施形態では、封鎖機構は、異なる形態をとることが可能であり、例えば、鍵のある施錠手段、施錠式クリップ又はクランプ、又はその他の機構を含むことが可能である。封鎖機構は、無用な取り外しを行う気をそぐことができる一方、例えば、メンテナンス又は交換のために、タブレットコンピュータ110を取り外す必要が生じた場合には、該封鎖機構は、かかる操作を許容することが可能である。
【００２１】
封鎖機構510により提供される機械的なセキュリティに加えて、電子的な取り外し検出システム（図示せず）を用いてタブレットコンピュータ110の取り外しを検出することが可能である。例えば、タブレットコンピュータ110の挿入により、ハウジング130内に配設されている接点（図示せず）が閉じ、これにより電気回路を完成させることが可能である。タブレットコンピュータ110を取り外すと、該接点が開き、これにより前記電気回路が切断されます。制御システム、例えば、プログラマブルマルチメディアコントローラは、該電子的な取り外し検出システムと通信を行って前記接点が開いたことを認識し、次いで適当な応答を開始する（例えば、警告音を発生させ、タブレットコンピュータ110を非活性化させ、又は他の何らかの動作を実行する）ことが可能である。
【００２２】
図６及び図７を参照する。ベゼル610は、ハウジングの正面135、タブレットコンピュータ110の正面127の一部、及び該ドックを取り囲む壁の壁面の一部上に固定することが可能である。該実施形態では、ベゼル610は、高さ620が約307mm（約12.1インチ）、幅630が約241mm（約9.5インチ）、及び奥行き710が約3mm（約0.12インチ）である。更に、ベゼル610は、タブレットコンピュータ110のタッチセンサ式表示画面120から短い距離だけ離れて終端する内側の開口を有しており、タブレットコンピュータ110の正面127の限られた領域のみが露出したままになるようになっている。代替的な実施形態では、ベゼル610が、異なる大きさを有することが可能であり、例えば、タッチセンサ式表示画面120の縁部に隣接する内側寸法を有することが可能であり、又はタッチセンサ式表示画面120の小さな周辺部分を覆う内側寸法を有することも可能である。異なる大きさ及び形状の様々なベゼル610を、様々な材料から作成し、及び様々なエンドユーザの嗜好に合うように様々な仕上げ又は色を与えることが可能である。
【００２３】
ベゼル610は、取り外し可能な取付機構を介して正面135に固定される。該実施形態では、該取り外し可能な取付機構は、磁石式閉鎖手段を含み、この場合、ベゼル610に固定された複数の磁石（図示せず）が、ハウジング130に固定された対向する磁石（又は鉄を含む金属板）と相互作用する。しかし、代替的な実施形態では、該取り外し可能な取付機構は、異なる形態をとることが可能であり、様々なクリップ、留め具、ベルクロ、接着剤、又はその他の機構を含むことが可能である。
【００２４】
ベゼル610が所定位置に配置されると、壁埋込型ドック100内のタブレットコンピュータ110の外観は、専用の壁埋込型のタッチパネル制御ユニットの外観を近似するものとなる。すなわち、壁埋込型ドック100内のタブレットコンピュータ110は、統合型装置のようにに見えるものとなる。タブレットコンピュータは一般に、大きなスケールメリットを有する大規模な製造ラインで製造される大量生産品であるため、タブレットコンピュータは、かなり安価なものとなる。更に、壁埋込型ドック100の製造コストは低い。したがって、タブレットコンピュータ110と壁埋込型ドック100との組み合わせによるコストは、一般的な専用の壁埋込型のタッチパネル制御ユニットのコストよりも遙かに低くなる。
【００２５】
更に、タブレットコンピュータ110と上述の壁埋込型ドック100との組み合わせは、他の利点を提供することが可能である。上述のように、タブレットコンピュータ110を（ある程度の努力を伴って）取り外すことができるため、故障が発生した場合に又はアップグレードを提供するために該タブレットコンピュータ110を容易に交換することができる。更に、壁埋込型ドック100を使用することにより設置が容易となる。タブレットコンピュータ110は、その設置者が現場以外の場所でその設定又はプログラミングを行い、それを既に取り付け済みの壁埋込型ドック100内に単に載置するだけでよく、これにより、現場での設定時間が削減される。
【００２６】
上記説明は、特定の実施形態について説明したものであるが、かかる実施形態に多数の修正及び／又は追加を行うことが可能であることは明らかである。かかる実施形態では、ハウジング130及び受容トレイ150を含む壁埋込型ドック100は主にプラスチックから構成されるが、壁埋込型ドック100は、金属、合成物、木材、及びその他の材料を含む、様々な他の材料及び／又は複数の他の材料の組み合わせから構成することが可能である。更に、壁埋込型ドック100は、壁内に様々な配向で配設することが可能であり、例えば、縦配向又は横配向を提供することが可能である、ということが理解されよう。
【００２７】
よって、上記説明は、単なる例示として解釈されることを意図したものである、ということが理解されよう。
【図１】
0005842002.tif 000002
【図２】
0005842002.tif 000003
【図３】
0005842002.tif 000004
【図４】
0005842002.tif 000005
【図５】
0005842002.tif 000006
【図６】
0005842002.tif 000007
【図７】
0005842002.tif 000008